(57)【要約】      （修正有）【課題】図画や写真等を現物の状態で照明表示する写真立てや額縁等の図画表示装置で、その外部から自在に該被照明体を交換できる写真立てを提供する。【解決手段】照明用光源６を内部に有し、図画や写真等の表面を照射できる写真立ての箱状本体側面に該図画や写真等の保持具８を出し入れできる挿入口１０を設け自在に脱着可能とする。これにより写真立て本体を分解、操作等に煩わされず簡易に多様な被照明体の選択、交換が可能となる。【選択図】図１
0003158088.tif 000002
【実用新案登録請求の範囲】
【請求項１】
箱状本体側面に設けられた挿入口を通して本体内部に図画や写真等を出し入れでき、該本体内部の所定位置に収納された該図画や写真等の表面を、該箱状本体内部に設けられた照明用光源およびその出射光を併せて設けられた反射性のある透明な板あるいは屈折性のあるプリズム等と組み合わせ照射できるようにした照明付き写真立て。
【請求項２】
請求項１の構造体において照明対象の図画や写真等を保持する保持具を具備し、これを用いて該図画や写真等を出し入れ可能とする写真立て。
【考案の詳細な説明】
【技術分野】
【０００１】本考案は前面に照明装置を持ち、内部に設置される図画や写真等を照射する写真立て、額縁、表示板等（以下写真立て等）において該図画や写真等の着脱や交換を容易にするための装置および方式に関するものである。
【背景技術】
【０００２】近年いわゆる「デジタルフォトフレーム」としてデジタルカメラで得たデジタルの写真情報を液晶表示装置で多様に表示する専用機器は商品化され広まりつつある。また写真をフィルムや透明な樹脂板に特別の方法で半透明状態に印刷しその背面からいわゆるバックライト光源で照射する表示装置も存在するが、図画や写真等の画面が印刷あるいは印画された紙や布等画材の現物をそのまま照明表示する装置はほとんど見られない。これを実現するためにフロントライトを有する写真立ての開発が試みられており、その簡易性、画質の鮮明さ現実感等の向上から実用化が期待され、あわせてその被照明対象物の着脱や交換も容易で多様な画面を自在に選択、設定できることが望まれている。
【実用新案文献１】
登録実用新案第３１５４０２２号
【考案の開示】
【０００３】本考案は、筐体外縁内部に設けられた光源で該筐体底面に装着された図画や写真等を照明する写真立てで、該筐体側面に設けられたスリット状の挿入口を通して該図画や写真等を保持する装置（保持具）を嵌入したり取り出したりすることにより照明対象の該図画や写真等の着脱や交換を筐体外部から自在に行える装置を実現する。
【考案が解決しようとする課題】
【０００４】従来照明装置を具備した写真立ては筐体に被照明体の図画や写真等を装着する際、照明装置との相対的な位置を最適にし、かつ筐体の前面以外への光の漏れを防止するため、筐体を分割してから該図画や写真等を装着後ふたたび固定したり、背面に窓を設けてここに裏蓋を兼ねる装着具を設けこれに該図画や写真等を装着後密閉したりしていた。上記の方法はいずれも照明対象の該図画や写真等を交換するとき逐次この作業を必要とするため、手間をとり、時間がかかるばかりか器具の損耗も懸念され不便であった。
【課題を解決するための手段】
【０００５】本考案の照明付き写真立てはその筐体側面に該図画や写真等を保持する装置（保持具）が出入り可能なスリット状の挿入口を有し、ここを通して該筐体内部に挿入された保持具およびこれに保持される該図画や写真等は該筐体底面近傍の所定位置に自動的に装着され、該筐体外縁内部上方に設けられた光源で照明される。該図画や写真等を交換する際は該保持具を挿入口から引き抜いて取り出す。なお、被照明対象の図画や写真の大きさや強度が該保持具を必要としない場合は保持具を使用しないで該図画や写真等を直接この挿入口から出し入れしても脱着できる。また照明用光源は併せて該筐体内部に設けられる透明板あるいはプリズム等とともに反射あるいは屈折されて最も効果的に該図画や写真等の表面を照射し照明を可能とするよう設定される。
【考案の効果】
【０００６】本考案により、簡易に図画や写真等を自在に交換しながら照明できる写真立てが可能となる。該写真立てに用いられる写真や図画等は新たに加工されることなく通常状態のまま照明され得る。また、本考案の応用例として照明付きで自在に照明対象品を交換できる広告板、展示物、表示板などが可能となる。
【実施例】
【０００７】以下、本考案を図１および図２の応用実施例について説明する。図１は本考案による装置の代表例としての照明付き写真立ての構造の概略斜視図であり、図２は図１のＡ−Ａ側断面図である。本装置の構造は主に該照明付き写真立て筐体の本体（１）その上部の透明板（５）およびプリズム（１２）の主構造体とその側面（２）の内面に設けられた照明用の光源（６）および照明される図画（１１）（写真も含む）、これを保持する保持具（７）で構成される。該保持具（７）は薄い板の形状で端部に図画保持部（８）を有しこれで該図画（１１）をツメ形状部分で挟み込み保持具形状に沿わせて保持固定する。なお、図画保持部（８）は両図に示す形状以外に単なる切り込み（スリット）やクリップ状ばね形態でも良い。また、前記筐体の側面（２）には保持具挿入口（１０）が設けられその形状は該保持具（７）がここを通って筐体の内外を出たり入ったりする時のほぼ矩形断面に近いスリット形状で光源（６）からの光の漏れは最小となり、かつ保持具で保持された該図画（１１）が本体（１）内部の底面（４）に沿って最適位置に収納されるよう設定される。特に図２の断面形状のようなＵ字状のミゾを持つ土手形状の図画保持部（８）は保持具挿入口（１０）と適宜嵌合して漏れる光を防止するように設定しやすい。必要に応じて該保持具（７）の一端に把手部（９）を設け保持具（７）の出し入れの操作を両図の双方向矢印のように行う。【０００８】なお、図画（１１）の形状が本体（１）に適合し画材の強度が十分で保持具挿入口（１０）から出し入れして所定の収納ができれば、保持具（７）無しでもよい。透明パウチされた図画や写真等はその例である。【０００９】光源（６）からの照明用の光源には冷陰極管やＬＥＤ（複数も可）等を用い該筐体側面（２）の内面に設置されるが、この出射光は該筐体上面（３）で外部への直接光が漏れるのを防がれるとともに、これとほぼ同一面上に設けられる透明板（５）では反射され被照明体の図画や写真等の表面を照射し照明に供せられる。また必要に応じて図２の破線で示すような透明導光性のプリズム（１２）を設け、その側部端面から光を入射させて適宜拡散、屈折させフロントライトとして該図面（１１）をより均等に照射することも可能である。透明板（５）とあわせて用いると照明効果が増大する。
【図面の簡単な説明】
【００１０】
【図１】本考案に係る構造の概略斜視図
【図２】本考案の側面断面図（図１のＡ−Ａ断面部）
【符号の説明】
【００１１】（１）    本体
（２）    側面
（３）    上面
（４）    底面
（５）    透明板
（６）    光源
（７）    保持具
（８）    図画保持部
（９）    把手部
（１０）  保持具挿入口
（１１）  図画
（１２）  プリズム
【図１】
0003158088.tif 000003
【図２】
0003158088.tif 000004
【手続補正書】
【提出日】平成21年12月3日(2009.12.3)
【手続補正１】
【補正対象書類名】実用新案登録請求の範囲
【補正対象項目名】請求項１
【補正方法】変更
【補正の内容】
【請求項１】
箱状本体側面に設けられた挿入口を通して本体内部に図画や写真あるいは文書を出し入れでき、該本体内部の所定位置に収納された該図画や写真あるいは文書の表面を、該箱状本体内部に設けられた照明用光源およびその出射光を併せて設けられた反射性のある透明な板あるいは屈折性のあるプリズムあるいは鏡と組み合わせ照射できるようにした照明付き写真立て。
【手続補正２】
【補正対象書類名】実用新案登録請求の範囲
【補正対象項目名】請求項２
【補正方法】変更
【補正の内容】
【請求項２】
請求項１に記載の照明付き写真立てにおいて照明対象の図画や写真あるいは文書を保持する保持具を具備し、これを用いて該図画や写真あるいは文書を出し入れ可能とする写真立て。